(57)【特許請求の範囲】
【請求項１】
装置本体としてカメラ部と該カメラ部で撮像された映像が表示される表示部とが一体化され、該装置本体が扉や壁などの内側に設置されてそれらの外側を観察するカメラ一体型表示装置において、
該装置本体近傍の所定範囲内での利用者の有無を検知するセンサ部と、
該センサ部が該所定の範囲内に利用者が居ることを検知すると、該装置本体の電源を投入し、利用者が該装置から離れて該所定の範囲内に居ないことを検知すると、該装置本体の電源を切断する制御部と
を該装置本体に設け、
該装置本体を該扉や壁などに設置するための取付部材は、
該扉や壁などと対向する平板部と、
該平板部から突出して該装置本体と係合する複数の係合部と、
該平板部に設けられ、該扉や壁などに取り付けられているレンズスコープの略円筒状をなす室内側固定部材の円筒部の外径よりも大径で、かつ該室内側固定部材の端部の室内側フランジ形状部の外径よりも小径な貫通孔をなす切欠部と
を有し、
該装置本体は、
該取付部材の一部の該係合部を嵌合させて略固定保持する保持手段と、
該取付部材の残り該係合部を係合させて固定する固定手段と
を備え、
該レンズスコープの室内側固定部材を該取付部材の該平板部における該切欠部に通して該扉や壁などに設けられた貫通穴内の該レンズスコープのレンズ鏡筒部と一体とすることにより、該平板部を該室内側固定部材での該室内側フランジ形状部でもって該レンズスコープに固定し、該取付部材の夫々の該係合部を該装置本体の該保持手段及び該固定手段で保持，固定することにより、該平板部に該装置本体を固定し、該装置本体を該扉や壁などの該レンズスコープが設けられた個所に設置可能に構成したことを特徴とするカメラ一体型表示装置。
【発明の詳細な説明】
【０００１】
【発明の属する技術分野】
本発明は、一般の住宅の玄関扉やホテルなどの客室扉などの扉や建物の壁などに装備されるドアスコープ装置やインターフォンシステムなど用いて好適なカメラ一体型表示装置に関する。
【０００２】
【従来の技術】
玄関扉を開けることなく訪問者を確認するための、所謂ドアスコープに関する従来技術が、例えば、実開平７−６４８７号公報や実用新案登録第３０１９２３８号公報などに開示されている。
【０００３】
実用新案登録第３０１９２３８号公報に記載の技術では、機器を動作させるために、装置本体上部に配置された電源スイッチを随時操作する必要があり、また、床面から約１３５ｃｍの高さにあるレンズスコープの取付穴を利用して（即ち、レンズスコープを取り外して）設置する構造であるため、電源スイッチは床面から約１４３ｃｍの高さに設置されるものであった。
【０００４】
実開平７−６４８７号公報に記載の技術でも、インターホンのコールボタンを押されたときにドアスコープ機器全体の電源が投入され、扉を開けたことを検知してドアスコープ機器全体の電源が切断されるものであった。扉を開けずにインターホンで応答した場合には、利用者（即ち、居住者）がディスプレイブロックの操作キーを操作して各電源を切らなければならず、また、インターホンの反応が一定時間無い状態が続くと、電源が切れるシステムであった。
【０００５】
一方、ドアスコープの取付構造について、その一例が実開平７−６４８７号公報に記載されているが、これはドア自体を大幅に改造してカメラブロックやディスプレイブロックなどの各種ブロックを夫々ドアに埋め込み、夫々のブロック毎に固有の電源電圧を必要とするため、数種類の電源電圧が供給される構成となっている。
【０００６】
また、実用新案登録第３０１９２３８号公報に記載のようなレンズスコープの取付穴を利用するものでは、取付穴を貫通して結合する取付金具Ａ，Ｂを使用する必要があり、少なくとも屋外側にある取付金具Ａの表面にカメラレンズを設け、この取付金具Ａの円筒部内のこのカメラレンズの後方光軸上にカメラ部を挿入配置しており、独自の光学系と光電気変換部材を配しているため、既存のレンズスコープ部材を取り外して取り付けるようにする必要があった。また、この取付金具Ａの円筒部内のカメラレンズの後方光軸上にカメラ部を挿入配置した場合の問題について、特に、説明がなされていない。
【０００７】
また、ドアスコープの装置本体を玄関扉に固定する詳細な取付構造・方法については開示されておらず、実際の取付方法は不明であり、重量のある玄関扉の開閉に伴う応力や振動について充分配慮した機器の取付方法を提供する必要があった。
【０００８】
【発明が解決しようとする課題】
ところで、前述のビデオカメラを用いた画像表示装置式のドアスコープ技術には、光学的技術のみのレンズスコープを凌駕する利点を有するものであるが、第１の課題として、利用者は機器本体の上部に配置された電源スイッチを随時操作する必要があり、通常、レンズスコープの取付高さは床上約１３５ｃｍあるので、上記の機器が高さ１６ｃｍとして、来訪者を確認する度毎に床面から約１４３ｃｍ程度の高さにある電源スイッチを投入しなければならず、所定の身長の利用者は操作可能であるが、身長の低い子供や腰が曲った老人が使用するときや物を抱えたりして腕が不自由な状態で使用する場合、必ずしも容易に、また、俊敏に電源投入が操作できるとは限らず、ビデオカメラを用いた画像表示装置式のドアスコープ技術本来の目的や効果を達成できない場合も生じ得る。
【０００９】
また、上記従来技術では、来訪者の確認が終わったときには、ドアスコープ本体の電源スイッチを切断する操作をしないと、カメラや表示装置は無駄に動作し続ける。しかし、ドアスコープを動作停止させるためには、利用者が電源スイッチを切断する操作が必要となって煩わしい場合もあるし、また、その結果、電源を切り忘れる場合も往々にしてあることになる。
【００１０】
多くの場合、インターホンなどにより事前に来訪者自身から利用者（居住者や宿泊者）が来訪の用件について伝言を受けた後、実際に戸口で利用者が来訪者の真偽を確認するが、通常、この確認に要する時間はかなり短くても充分であり、一瞥するか、長くても数秒程度である。それ故、戸外を確認したいときだけドアスコープ装置が自動的に動作して使用でき、確認が終わると、自動的にドアスコープ装置の動作が停止するようにすることが望ましい。
【００１１】
第２の課題として、実開閉７ー６４８７号公報に記載の装置は、独自の構造をなしてドアと一体になっており、この装置を新設したり、交換したりする場合には、ドア自体もこれとともに取り付け直したり、交換したりする必要があるし、また、数種類の電源電圧を必要とするために、大規模な取り付け工事を必要とする。
【００１２】
また、実用新案登録第３０１９２３８号公報に記載の装置では、ドアに設けられている既存のレンズスコープを取り外して設けなければならないため、この取り外したレンズスコープを別に保管する必要がある。しかしながら、ユーザの希望に応じて、例えば、将来の住み替えや退去時に住居の状態を元に戻さねばならない借家においても、ドアに既に取り付けられているレンズスコープをそのまま残して、簡単な作業で装置本体を取り付けることができ、同様にして、単に装置本体を取り外すだけで元の状態に戻すことが容易にでき、取り外した部品を特別に保管する必要もなくて、通常は便利に使用できるようにすることが望ましい。
【００１３】
また、表示部の映像には、レンズスコープの接眼レンズ側を周囲から固定する筒体の像が映り込むため、実質的に確認したい画像情報が少なからずアンダースキャンになって見辛くなるし、また、画像内容を正確に判断しづらい場合も生じる。
【００１４】
第３の課題として、既に取り付けられているレンズスコープ部材をそのまま残して、簡単な作業で機器の取り付けを行なうことができ、より安全かつ確実に機器の取り付けができる取付方法が望まれる。
【００１５】
本発明の目的は、かかる問題を解消し、戸外を確認したいとき、装置本体に近づくだけでこの装置本体が自動的に動作して誰でも容易に戸外を確認でき、装置本体からから離れるだけでその動作を停止するようにしたカメラ一体型表示装置を提供することにある。
【００１７】
【課題を解決するための手段】
上記目的を達成するために、本発明は、装置本体としてカメラ部と該カメラ部で撮像された映像が表示される表示部とが一体化され、該装置本体が扉や壁などの内側に設置されてそれらの外側を観察するカメラ一体型表示装置において、該装置本体近傍の所定範囲内での利用者の有無を検知するセンサ部と、該センサ部が該所定の範囲内に利用者が居ることを検知すると、該装置本体の電源を投入し、利用者が該装置から離れて該所定の範囲内に居ないことを検知すると、該装置本体の電源を切断する制御部とを該装置本体に設け、該装置本体を該扉や壁などに設置するための取付部材は、該扉や壁などと対向する平板部と、該平板部から突出して該装置本体と係合する複数の係合部と、該平板部に設けられ、該扉や壁などに取り付けられているレンズスコープの略円筒状をなす室内側固定部材の円筒部の外径よりも大径で、かつ該室内側固定部材の端部の室内側フランジ形状部の外径よりも小径な貫通孔をなす切欠部とを有し、該装置本体は、該取付部材の一部の該係合部を嵌合させて略固定保持する保持手段と、該取付部材の残り該係合部を係合させて固定する固定手段とを備え、該レンズスコープの室内側固定部材を該取付部材の該平板部における該切欠部に通して該扉や壁などに設けられた貫通穴内の該レンズスコープのレンズ鏡筒部と一体とすることにより、該平板部を該室内側固定部材での該室内側フランジ形状部でもって該レンズスコープに固定し、該取付部材の夫々の該係合部を該装置本体の該保持手段及び該固定手段で保持，固定することにより、該平板部に該装置本体を固定し、該装置本体を該扉や壁などの該レンズスコープが設けられた個所に設置可能に構成したことを特徴とするものである。
【００２１】
以上の構成によると、戸外を確認したいとき、誰でも装置本体に近づくだけで装置本体が自動的に動作して容易に戸外を確認することができ、また、装置本体から離れるだけで、その動作が自動的に停止する。
【００２３】
【発明の実施の形態】
以下、本発明の実施形態を図面を用いて説明する。
図１は本発明によるカメラ一体型表示装置の一実施形態を示す斜視図であって、１はこのカメラ一体型表示装置の本体（即ち、装置本体）、２は主電源スイッチ、３は表示部、４はセンサ部、５は電源部、６は玄関扉である。
【００２４】
なお、この実施形態では、標準仕様のレンズスコープを備えた住宅などの玄関扉に取り付ける戸外観察用のカメラ一体型表示装置とし、ドアスコープとして利用する場合について説明するが、本発明は特にこれに限るものではなく、一般に、標準仕様の、あるいは標準仕様でないレンズスコープをホテルの客室などの扉や建造物の壁などにも適用可能である。
【００２５】
同図において、ここでは、装置本体１が玄関扉６に取り付けられている状態を示している。この装置本体１には、玄関扉６側にカメラ部が設けられており（図示せず）、このカメラ部は、玄関扉６に既に取り付けられている既存のレンズスコープやレンズスコープ取付穴（以上、図示せず）を利用して、玄関扉６の外側に向けて設置されている。また、この装置本体１のカメラ部とは反対側に表示部３が設けられており、この表示部３には、装置本体１内の図示しない各信号処理部で処理されたカメラ部の撮像映像が表示される。
【００２６】
さらに、装置本体１にセンサ部４が設けられている。このセンサ部４は、装置本体１の表示部３と平行する面に利用者（居住者）と正対するように設置されている。ここでは、このセンサ部４は、装置本体１を正面から見て、装置本体１の左側端に寄せて配置しているが、これは、一般に、玄関扉６の取っ手部分がその左側に配置され、予め利用者が玄関扉６の左寄りに立って訪問者を確認し、しかる後、解錠して玄関扉６を開けようとする場合を想定しており、玄関扉６の左寄りにセンサ部４を配置することにより、このセンサ部４の感知範囲を有効に設定できるよう配慮したものである。玄関扉６の取っ手部分がその右側に配置される場合には、本体外形部の交換・変更により対処可能である。その他、センサ部４の選定並びに感度設定などの条件によって影響があり、水平方向の感度が必要なだけ高い場合には、装置本体１上のセンサ部４の取付位置を左右するものではない。
【００２７】
主電源スイッチ２は、センサ部４に供給されるスタンバイ時の電源電圧を含めて、装置本体１全体の負荷に対する電源電圧を遮断するための電源スイッチである。主電源スイッチ２は、電源部５が一次電池あるいは二次電池などである場合、待機電力による電池の損失並びに機器の安全を考慮した補助手段である。電源部５として、家庭用電源をコンバートして外部電源装置から供給する場合には、安全上より必要である。この他、チャイルドプルーフや長期不在時の機器の不使用には有効である。
【００２８】
図２は図１に示す装置本体１内での回路構成の一具体例を示すブロック図であって、３Ａは表示信号処理部、７はカメラ部、７Ａはカメラ信号処理部、８は制御部、９はセンサ部４の感知範囲であって、図１に対応する部分には同一符号をつけている。
【００２９】
同図において、「→」はカメラ部７からの映像信号の流れを示すものである。この映像信号はカメラ部７からカメラ信号処理部７Ａ，表示信号処理部３Ａを経て表示部３に供給され、表示部３で確認のための画像表示がなされる。
【００３０】
カメラ信号処理部７Ａは、カメラ部７の図示しないレンズ部や光学フィルタ部，イメージセンサ部を経由して出力された被写体像を光電変換して得られる電気信号をＮＴＳＣ方式などの映像信号（コンポジット信号，Ｙ／Ｃ，Ｙ／色差信号など）に変換する信号処理部であり、カメラ部７との関連で、自動ホワイトバランス補正処理や自動電子アイリス制御，逆光線補正など通常の画像補正機能を備えるものである。
【００３１】
表示信号処理部３Ａは、カメラ信号処理部７Ａからの映像信号を表示部３で表示するための信号処理を行なう。例えば、表示部３がカラー液晶モジュールの場合、この映像信号（コンポジット信号，Ｙ／Ｃ信号あるいはＹ／色差信号）をＲＧＢ信号にデコードし、また、同期信号からタイミング制御信号を生成し、これらによってカラー液晶表示モジュールを駆動する。
【００３２】
表示部３は、水平及び垂直方向駆動回路及び同期制御回路、さらに、液晶表示の場合には、バックライト部などを備え、カメラ部７で撮像した映像を画面表示する。
【００３３】
白抜き矢印は、電源部５から各部への電源電圧の供給経路を示す。ここでは、電源部５を乾電池や充電式電池とする。装置本体１の設置方法によっては、他の外部電源を使用することも可能である。電源部５からの電源電圧は、制御部８を経由して、カメラ部７やカメラ信号処理部７Ａ，表示信号処理部３Ａ，表示部３などの各部（以下、これらを総称して信号系負荷という）へ供給される。これと同時に、この電源電圧はセンサ部４にも供給され、センサ部４の検出出力４Ａにより制御部８を制御して信号系負荷への電源電圧を通電したり遮断したりすることができる。制御部８は、その他に、信号系負荷の外部制御も行ない得るものである。
【００３４】
センサ部４は赤外線センサ（焦電体による温度あるいは温度変化量の感知，多次元相対位置関係測定など）や赤外線ＬＥＤ，音波センサなどがあり、複数個用いてより詳細な移動量や移動方向を検知する方法も周知である。また、センサ部４としていずれを用いるかは、本発明の構成を決定するものではない。
【００３５】
センサ部４はハッチングして示す所定の検知範囲９を設定することができ、この検知範囲９の空間内に利用者Ｓが入った場合、これを検知して所定の動作制御信号４Ａを出力し、制御部８に送る。いま、利用者ＳがＮ方向に移動して検知範囲９に入ると、動作制御信号４Ａを出力する。その後、センサ部４の設定条件により、この検知範囲９内に居ても利用者が静止した場合や、Ｆ方向やＬ方向，Ｒ方向に移動して検知範囲９から出た場合には、動作制御信号４Ａの出力を停止する。
【００３６】
通常、利用者Ｓは表示部３と正対して来訪者の映像を確認するので、センサ部４の取付位置は、上記のように、表示部３の表示画面と略平行な面に設置し、検知範囲９を水平，垂直方向に必要充分な範囲として設定できる。また、装置本体１の外形デザイン設計上、センサ部４の周囲に物理的な壁や光学フィルタ，遮蔽部材などを設けて検知範囲９を調整することもできる。もし、利用者Ｓが検知範囲９内で移動した場合はもとより、身体の一部を動かした場合も動作制御信号４Ａを出力するように、条件を設定することができる。
【００３７】
動作制御信号４Ａは任意の時間出力され、動作制御信号４Ａを受けた制御部８は、任意の設定時間だけ電源電圧を信号系負荷に供給し、この設定時間だけ信号系負荷を動作させ、カメラ部７からの映像を表示部３で確認することを可能にする。この結果、来訪者の映像を室内で所定時間確認することができる。その後、センサ部４からの動作制御信号４Ａの出力が停止すると、制御部８は信号系負荷への電源電圧を遮断し、それらの動作を停止させる。
【００３８】
実際には、インターホンなどによって事前に来訪者自身から利用者へ来訪用件が伝えられると、戸口で利用者が来訪者の真偽を確認する場合が多く、通常、確認に要する時間は相当短くても充分であり、長くても数秒程度である。従って、上記構成により、戸外を確認したいときだけドアスコープ装置が自動的に動作して使用でき、この確認が終わった後、自動的にこの装置の動作を停止させることができる。
【００３９】
図３は図２におけるセンサ部４と制御部８との一具体例を示すブロック図であって、１０は検知部、１１はプリアンプ部、１２は比較処理部、１３は時間設定部、１４は切換部、１５は切換制御部であり、図１及び図２に対応する部分には同一符号をつけている。
【００４０】
同図において、図示しないが、センサ部４を構成する検知部１０やプリアンプ部１１，比較処理部１２，時間設定部１３，切換部１４，切換制御部１５には、常時、あるいはスタンバイモード時、主電源スイッチ２（図１）を介して電源部５から電源電圧が供給されている。また、図示しないが、補助手段として主電源スイッチを設ける場合、電源部５から制御部８とセンサ部４に至る白抜き矢印で示す電源電圧の供給路の間に各負荷を同時または順次この主電源スイッチを開閉するように設置する。このように順次に開閉するのは、カメラ部７や表示部３など各ブロックの立上り特性や立下り特性が異なるが、これに合わせて電源電圧の供給タイミングを決めるためである。同様に、センサ部４の電源を開閉するスイッチを設けて、センサ部４の動作を停止させることができる。
【００４１】
検知部１０は赤外線焦電素子を用いたセンサであり、人体から微弱な赤外線ＳＡを入射すると、電荷を発生し、焦電体のリーク抵抗により電圧変換して電圧を発生するものであって、周囲温度と人体の温度との温度変化を検出するものである。検知範囲９内であれば、Ａ点からＢ点への移動や体の一部を動かすことにより、人体から微弱な赤外線ＳＡを入射することができる。検知部１０としては、焦電素子数に応じて１個のシングル型や２個のデュアル型，４個のクワッド型，多数使用するアレイ型などがあるが、２個の焦電素子を互いに逆方向に直列接続して、これらに等しく温度変化が生じた場合には、互いにこれらの出力電圧をキャンセルするように動作することにより、周囲温度の変化に対する安定性が高く、かつ実効感度や指向性に優れたデュアル型が適している。
【００４２】
プリアンプ部１１は、検知部１０が利用者Ｓからの赤外線ＳＡを検知したときの出力電圧を増幅し、比較処理部１２へ伝送する。プリアンプ部１１の周波数特性や増幅度は、検知範囲９の広さに大きく影響する設計事項である。比較処理部１２は、プリアンプ部１１の出力電圧と初期設定された基準電圧値とを比較し、この出力電圧が基準電圧値よりも大きいときに所定の信号を発生する。時間設定部１３は、比較処理部１２からのこの所定の信号を受けると、これに同期して任意の時間設定されたパルス幅を持つパルス信号を出力する。実際に利用者Ｓを検知してこの実施形態の各信号系負荷を駆動する時間の設定は、この時間設定部１３で行なうことができる。切換部１４はリレーなどのスイッチ素子であり、切換制御部１５はその駆動手段である。切換制御部１５は、この時間設定部１３で時間設定されたパルス幅のパルス信号により所定時間だけ切換部１４を制御し、電源部５からの電源電圧を各信号系負荷に供給する。時間設定部１３からのパルス信号が停止すると、切換部１４は電源電圧を遮断する。
【００４３】
このようにして、この実施形態は、戸外を確認したいときだけ自動的に動作して使用することができ、確認が終わると、自動的に動作を停止する。
【００４４】
図４（ａ）は図１に示した装置本体１と玄関扉６に取り付けられているレンズスコープとの関係の一具体例を示す断面図であって、１Ａは凹部、６Ａは貫通孔、７Ｂはカメラ部７のカメラレンズ鏡筒部、１６はレンズスコープ、１７はレンズ鏡筒部、１７Ａはフランジ部、１７Ｂは円筒部、１８は対物レンズに相当する屋外側レンズ、１９は接眼レンズに相当する屋内側レンズ、２０は屋内側固定部材、２０Ａはフランジ部、２０Ｂは円筒部であり、前出図面に対応する部分には同一符号を付けている。
【００４５】
同図において、玄関扉６には、所定の貫通穴６Ａが設けられ、この貫通穴６Ａに標準仕様の、あるいはそれ以外のレンズスコープ１６が埋め込まれており、これを通して外部を観察できるようにしている。
【００４６】
このレンズスコープ１６はレンズ鏡筒部１７と室内側固定部材２０とから構成されている。レンズ鏡筒部１７は貫通孔６Ａよりも外径が大径のフランジ部１７Ａと貫通孔６Ａよりも外径が小径の円筒部１７Ｂとからなって略円筒状をなし、フランジ部１７Ａの外側端部に対物レンズとしての屋外側レンズ１８が、また、円筒部１７Ｂの室内側の端部に接眼レンズとしての屋内側レンズ１９が夫々収納されている。また、室内側固定部材２０は貫通孔６Ａよりも外径が大径のフランジ部２０Ａと貫通孔６Ａよりも外径が小径の円筒部２０Ｂとからなって略円筒状をなしている。
【００４７】
ここで、レンズ鏡筒部１７での対物レンズ１８から接眼レンズ１９までの距離は玄関扉６の厚みよりも短く、また、室内側固定部材２０の円筒部２０Ｂの内径Ｄ１はレンズ鏡筒部１７の円筒部１７Ｂの外径よりもわずかに大きく、室内側固定部材２０の円筒部２０Ｂの内面とレンズ鏡筒部１７の円筒部１７Ｂの外面とに互いに螺合し合うねじ部が設けられている。
【００４８】
そして、レンズ鏡筒部１７の円筒部１７Ｂを玄関扉６の貫通孔６Ａに屋外側から挿入し、また、室外側固定部材２０の円筒部２０Ｂをこの貫通孔６Ａに屋内側から挿入し、これら円筒部１７Ｂ，２０Ｂのねじ部を螺合させることにより、これらレンズ鏡筒部１７と屋外側固定部材２０とが連結され、レンズ鏡筒部１７に対して室外側固定部材２０を締め付けるようにすることにより、レンズスコープ１６が玄関扉６に取り付けられることになる。
【００４９】
装置本体１では、かかる玄関扉６に取り付ける側の面にカメラ部７のカメラレンズ鏡筒部７Ｂが、その反対側に表示部３が備え付けられている。カメラ部７は、特に、カメラレンズ鏡筒部７Ｂの形状を標準的レンズスコープに準拠して規程する。例えば、このカメラレンズ鏡筒部７Ｂが円筒状をなす場合、このカメラレンズ鏡筒部７Ｂの直径Ｌ１はレンズスコープ１６における室内側固定部材２０の円筒部２０Ｂのねじ部内径Ｄ１に対してＬ１＜Ｄ１であり、なおかつ、装置本体１での玄関扉６側の面からの突出高さＬ２は、レンズスコープ１６での屋内側レンズ１９から室内側固定部材２０の外端までの深さＤ２に対してＬ２＜Ｄ２とし、さらに、装置本体１での玄関扉６側の面に、レンズスコープ１６の室内側固定部材２０のフランジ部２０Ａの外径，厚さに夫々略等しく内径，深さの凹部１Ａを設けることにより、装置本体１が玄関扉６に取り付けられたときには、カメラレンズ鏡筒部７Ｂが室内側固定部材２０側からレンズスコープ１６の内部に入り込み、また、レンズスコープ１６の室内側固定部材２０が装置本体１の凹部１Ａに嵌まり込むようにして、装置本体１が玄関扉６の面に密着して設置することができるようにしている。
【００５０】
また、カメラ部７のカメラレンズ鏡筒部７Ｂでは、レンズスコープ１６の結像をカメラ部７の撮像面に結像させるように、光学的合焦部または電子的合焦部もしくは複合的合焦部を設けて設計する。例えば、光学レンズを複数個組み合わせて用いることにより、リレーレンズを構成する。玄関扉６の厚さが約３０ｍｍ〜５０ｍｍの範囲でレンズスコープ１６の画角は、玄関扉６の屋外側に配置される屋外側レンズ１８（直径約７ｍｍ）やその固定位置，外傷防止などフィルタによりほぼ決定されるが、カメラ部７の画角は、リレーレンズ（合焦部材）やカメラ部７の撮像素子の選択などにより、レンズスコープ単体の画角を下回ることはなく設定することができるので、肉眼でレンズスコープを覗いたときに比較して画像が拡大されて表示部３に表示されることになる。
【００５１】
これにより、レンズスコープ１６を玄関扉６に組み込んだ状態でも、装置本体１をこの玄関扉６に設置することができ、鮮明な画像を表示部３に表示させることができる。
【００５２】
図４（ｂ）は図１に示した装置本体１と玄関扉６に取り付けられているレンズスコープとの関係の他の具体例を示す断面図であって、図４（ａ）に対応する部分には同一符号を付けており、また、説明に不要な部分での符号は省いている。
【００５３】
図４（ｂ）において、この具体例は、レンズスコープ１６において、レンズ鏡筒部１７の円筒部１７Ｂが長く、屋外側レンズ１８から屋内側レンズ１９までの距離が玄関扉６の厚みに略等しく、レンズスコープ１６の室内側固定部材２０の円筒部２０Ｂの内径Ｄ１と屋内側レンズ１９端ｆａから室内側固定部材２０端ｆｂまでの距離に等しい深さＤ３の浅い円柱状空間を有するレンズスコープ１６が玄関扉６に取り付けられている場合のものである。
【００５４】
図４（ａ）に比べて鏡筒部が長い分を考慮し、同様に、カメラ部７のカメラレンズ鏡筒部７Ｂが円筒状である場合、カメラ部のカメラレンズ鏡筒部７Ｂの直径Ｌ１はレンズスコープ１６の室内側固定部材２０のねじ部内径Ｄ１に対してＬ１＜Ｄ１であり、なおかつ、装置本体１の玄関扉６側の面からの突出高さＬ３は、屋内側レンズ１９端ｆａから室内側固定部材２０端ｆｂまでの深さＤ３に対してＬ３＜Ｄ３とし、さらに、装置本体１に、図４（ａ）の場合と同様、室内側固定部材２０のフランジ部２０Ａが嵌合する凹部１Ａを設け、装置本体１が玄関扉６の面に密着して設置できるようにする。
【００５５】
また、図４（ａ）の場合と同様に、カメラ部７のカメラレンズ鏡筒部７Ｂは、レンズスコープ１６で結像した像をカメラ部７の撮像面で結像させるようにする。例えば、カメラレンズ鏡筒部７Ｂでは、図４（ａ）の場合に比べて光学レンズを複数個組み合わせて用いることにより、さらに短いリレーレンズを構成する。これらにより、レンズスコープ１６を玄関扉６に組み込んだ状態でも、装置本体１を玄関扉６に設置することができ、鮮明な画像を表示部３に表示させることができる。
【００５６】
なお、図４（ａ），（ｂ）に示した具体例では、玄関扉６に取り付けられたレンズスコープ１６の室内側固定部材２０を装置本体１の凹部１Ａに嵌合させることにより、この装置本体１を玄関扉６に取り付けるものであるが、さらに強固，安定に取り付けるために、両面接着部材などを用いるようにしてもよい。
【００５７】
図５は図４に示す状態から装置本体１を玄関扉６のレンズスコープ１６が取り付けられている部分に装着した状態を示す断面図であって、３Ｂは表示部３の表示画面部であり、前出図面に対応する部分には同一符号をつけている。
【００５８】
同図において、図４で説明したように、レンズスコープ１６を玄関扉６に組み込んだ状態でも、装置本体１を玄関扉６などに設置できる。また、カメラ部７に集光される光情報を点線矢印で示すと、これら光情報は、カメラ部７の画角設定により、希望する光情報ＬＤと希望しない光情報ＬＵとを含むことになる。
【００５９】
この図５は、特に、図４（ａ）の場合の設置例を示すものであるが、図４（ｂ）の場合も、ほぼ同様に、光情報には、希望する光情報と希望しない光情報とを含むことになる。
【００６０】
図６は図５に示した装置本体１の表示部３における表示画面３Ｂでの表示画像を示す図であって、２１はレンズスコープ１６の室内側固定部材２０の画像であり、Ｐ１，Ｐ２，Ｐ３，Ｐ４は表示画面３Ｂの範囲を規定するその角部を表わしている。
【００６１】
まず、図６（ａ）において、Ｐ１，Ｐ２，Ｐ３，Ｐ４で囲まれた表示部３の表示画面３Ｂは、カメラ部７で光学的または電気的に拡大撮像処理されず、また、カメラ信号処理部７Ａ（図２）でもカメラ部７からの画像信号を拡大処理せずに画像表示を行なった場合の表示画像を示している。この場合には、表示画面３Ｂに、図５に示したレンズスコープ１６のレンズ鏡筒部１７や屋内側レンズ１９などの周辺が映り込み、実際に確認したい希望の光情報ＬＤによる画像のほかにその周囲の希望しない光情報ＬＵによる画像も表示されてしまう。実際には、訪問者の様子をより正確に判断するためには、図６（ｂ）のように、表示画面３Ｂ内に希望しない情報が表示されない程度に、画像情報を拡大して表示することが望まれる。
【００６２】
画像情報を拡大して表示する手段あるいは方法としては、光学レンズによるズームレンズを構成する方法、カメラ部７の撮像素子から出力された映像信号に演算処理を施す電子ズームによる方法などがある。
【００６３】
光学レンズによる拡大方法としては、少なくとも２枚のレンズを組合わせて配置し、その合成された焦点距離を固有の焦点距離よりも大きくとる方法が知られており、通常、合焦レンズとリレーレンズとの間にバリエータレンズとコンペンセータレンズによるズームレンズを配置する構成において、バリエータレンズを所望の倍率位置に固定することによって実現できる。
【００６４】
また、電子ズームによる方法は、画像のアクセス部と内挿補間部からなり、アクセスの方式には、フレームメモリまたはフィールドメモリを制御する方式とメモリを使用せずに撮像素子を制御する方式とがあり、後者の方式では、垂直転送制御駆動により、撮像素子受光面の上部及び下部の不要な画素信号を垂直帰線期間に高速で読み出し、中央部分を有効画面期間に垂直転送のオン／オフにより、１フィールド期間かけて読み出す駆動を行なうものが知られる。内挿補間の方式には、線形内挿による２ライン垂直内挿方式が知られる。
【００６５】
また、後段の表示信号処理部３Ａ（図２）において、上記に類する画角切出し手段を用いて確認のために必要な部分を表わす特定座標の画像情報だけを表示する方法もある。
【００６６】
以上のような画像拡大を行なう場合、この実施形態では、格別高い倍率を必要とするものではないので（例えば、２倍程度）、カメラ部７のカメラレンズ鏡筒部７Ｂの外形形状やカメラ信号処理部７Ａ，表示信号処理部３Ａの構成を総合的に検討して対応できる。近年、デジタル画像処理ＩＣが多数量産される状況においては、このための実現手段は多数ある。
【００６７】
なお、画像の拡大表示するさらに他の方法として、レンズスコープ１６からの希望する情報のみをカメラ部７の撮像面全面に結像させる方法もある。この場合には、図５において、希望する光情報ＬＤのみがカメラ部７の撮像面全面にわたって照射されることになる。このように撮像した場合、この希望する情報の画像のみが表示部３の表示画面３Ｂ全体にわたって表示される。
【００６８】
図７はこの実施形態での装置本体１の玄関扉６への取付方法の他の具体例を示す分解斜視図であって、２２は取付部材、２２Ａは平板部、２２Ｂは上側係合部、２２Ｂ’は下側係合部、２２Ｃは切欠部、２３は固定部材であり、前出図面に対応する部分には同一符号を付けて重複する説明を省略する。
【００６９】
同図（ａ）において、この具体例は、取付部材２２を用いて装置本体１を玄関扉６に取り付けるようにするものである。
【００７０】
取付部材２２は平板部２２Ａからなり、この平板部２２Ａには、その上辺に２つの上側係合部２２Ｂが、その下辺部に２つの下側係合部２２Ｂ’が夫々平板部２２Ａに垂直な同じ方向に突出した状態で形成されており、また、平板部２２Ａの中央部に、レンズスコープ１６の室内側固定部材２０の円筒部２０Ｂの外径よりも大きく、そのフランジ部２０Ａの外径よりも小さい直径の貫通孔からなる切欠部２２Ｃが設けられている。
【００７１】
かかる構成の取付部材２２を用いて装置本体１を玄関扉６に取り付ける場合には、まず、レンズスコープ１６のレンズ鏡筒部１７（図４）を玄関扉６の貫通孔６Ａ（図４）に屋外側から挿入し、また、レンズスコープ１６の屋内側固定部材２０の円筒部２０Ｂを、取付部材２２の切欠部２２Ｃに通して、玄関扉６の貫通孔６Ａに屋内側から挿入し、図４で説明したように、屋内側固定部材２０の円筒部２０Ｂを上記レンズ鏡筒部１７の鏡筒部１７Ｂにねじ込んでレンズスコープ１６を玄関扉６に取り付ける。このとき、取付部材２２の向きとしては、平板部２２Ａに設けられた係合部２２Ｂ，２２Ｂ’が玄関扉６側とは逆の方向を向くようにしており、これにより、レンズスコープ１６が玄関扉６に固定されるとともに、取付部材２２が玄関扉６の表面に密着して固定される。
【００７２】
次に、この取付部材２２に装置本体１が取り付けられる。ここで、装置本体１のカメラ部７側の面の下辺部の近くには、平板部２２Ａの下側係合部２２Ｂ’が挿入されて保持される保持手段（図示せず）が設けられている。この保持手段は、例えば、くさび状のリブとそれを支持する弾性材による支持部とによって構成されている。
【００７３】
そこで、平板部２２Ａの下側係合部２２Ｂ’を装置本体１のこの保持手段で保持することにより、この下側係合部２２Ｂ’が装置本体１に略固定され、次に、平板部２２Ａの上側係合部２２Ｂを装置本体１の上辺部に固定部材２３によって固定する。
【００７４】
以上のより、装置本体１は、取付部材２２により、レンズスコープ１６と関連して、玄関扉６に取り付けられたことになる。
【００７５】
ところで、平板部２２Ａの上側係合部２２Ｂを装置本体１の上辺部に固定する固定部材２３としては、例えば、ねじが用いられる。この場合、装置本体１のカメラ部２側の面の上辺部近傍に、これら上側係合部２２Ｂが挿入される切欠きが設けられているとともに、装置本体１の上辺部にこの切欠きまで貫通してねじが通る貫通孔が設けられており、また、上側係合部２２Ｂには、このねじと螺合するねじ孔が設けられている。そして、上側係合部２２Ｂを装置本体１のこの切欠きに挿入して装置本体１上辺の貫通孔と上側係合部２２Ｂのねじ孔とを一致させ、この貫通孔からねじを差し込むことにより、上側係合部２２Ｂのねじ孔に締め付けるものである。
【００７６】
このようにして、簡単に平板部２２Ａの上側係合部２２Ｂを装置本体１に固定することができるが、この場合、ねじを上側係合部２２Ｂのねじ孔に締め付けると、平板部２２Ａが上方に持ち上げられることになり、平板部２２Ａの下側係合部２２Ｂ’が装置本体１の上記保持手段から外れ易くなる可能性がある。装置本体１の取付けを簡単に行なうことができるようにするためには、下側係合部２２Ｂが装置本体１に簡単に取付け保持されるようにした方が好ましいが、このような問題もある。
【００７７】
この問題を解消する方法としては、例えば、図７（ｂ）に示すように、平板部２２の上辺に係合部を設ける代わりに、この平板部２２Ａの両側辺部に夫々係合部２２Ｂ”を設け、ねじにより、上記の上側係合部２２Ｂと同様の方法で装置本体１に固定するようにすればよい。この場合には、係合部２２Ｂ”を装置本体１に固定するときには、平板部２２Ａには、上方に持ち上げようとする力が作用しない。
【００７８】
なお、勿論、図７（ａ），（ｂ）において、夫々の係合部２２Ｂ，２２Ｂ’，２２Ｂ”を装置本体にねじ止めによって固定するようにしてもよい。
【００７９】
以上のようにして、この実施形態では、装置本体１を簡単に玄関扉に取り付けることができるし、また、逆に、装置本体１を玄関扉６から簡単に取り外すこともできる。しかも、装置本体１を玄関扉６に取り付けた状態では、レンズスコープ６も玄関扉６に取り付けられたままの状態であって、その特別な保管を要することもない。
【００８０】
また、特に、図４で説明した取付方法では、装置本体の取付け作業や取り外し作業にレンズスコープ１６は一切関係ないものであり、これらの作業が非常に簡単なものとなる。また、図７で説明した方法では、装置本体１の取付け作業や取り外し作業でレンズスコープ１６の取り外しが必要となるが、これも簡単な作業であるし、また、装置本体１は玄関扉６に堅固に取り付けられる。
【００８１】
【発明の効果】
以上説明したように、本発明によると、戸外を確認したいときには、室内や住宅内などに居る利用者が装置本体に近づくだけで装置本体が自動的に動作するものであるから、誰でも、また、手がふさがった状態でも、戸外を確認することができ、また、その確認が終わって装置本体から離れれば、装置本体の動作が自動的に停止するので、効率良く省資源も効果的に行なわれることになる。
【００８２】
また、本発明によると、レンズスコープを扉や壁などに組み込んだ状態のままで装置本体を設置することができるので、借家など改造を避けたい場合でも、レンズスコープをそのまま残して簡単な作業で装置本体を取り付けることができ、従来のような取り外したレンズスコープを特別に保管する必要もなくなり、通常は装置本体を使用できるので、より幅広い需要に答えられる。
【００８３】
さらに、本発明によると、表示部の表示画面全体にわたって、実際に確認したい画像情報であるレンズスコープから見える画像のみを拡大表示させることができるので、画像が見易くなって訪問者の様子をより正確に判断することを可能にする。
【００８４】
さらに、本発明によると、簡単な作業で安全かつ確実に装置本体の取付けを行なうことができる。
【図面の簡単な説明】
【図１】本発明によるカメラ一体型表示装置の一実施形態を示す図である。
【図２】図１に示した実施形態での装置本体の回路構成を示すブロック図である。
【図３】図２におけるセンサ部と制御部との一具体例を示すブロック図である。
【図４】図１に示した実施形態での装置本体と扉などに取り付けられたレンズスコープとの関係と装置本体の取付け方法の一具体例を示す断面図である。
【図５】図４に示した装置本体を扉に設置した状態を示す断面図である。
【図６】図１に示した実施形態での表示部に表示される画像の例を示す図である。
【図７】図１に示した実施形態での装置本体と扉などに取り付ける方法の他の具体例を示す断面図である。
【符号の説明】
１  装置本体
２  主電源スイッチ
３  表示部
３Ａ  表示部信号処理部
３Ｂ  表示画面
４  センサ部
５  電源部
６  玄関扉
６Ａ  貫通孔
７  カメラ部
７Ａ  カメラ信号処理部
７Ｂ  カメラレンズ鏡筒部
８  制御部
９  センサ部４の検知範囲
１０  検知部
１１  プリアンプ部
１２  比較処理部
１３  時間設定部
１４  切換部
１５  切換制御部
１６  レンズスコープ
１７  レンズ鏡筒部
１７Ａ  フランジ部
１７Ｂ  円筒部
１８  屋外側レンズ
１９  屋内側レンズ
２０  室内側固定部材
２０Ａ  フランジ部
２０Ｂ  円筒部
２２  取付部材
２２Ａ  平板部
２２Ｂ，２２Ｂ’，２２Ｂ”  係合部
２２Ｃ  切欠部
２３  固定手段
【図１】
0003990017.tif 000002
【図２】
0003990017.tif 000003
【図３】
0003990017.tif 000004
【図４】
0003990017.tif 000005
【図５】
0003990017.tif 000006
【図６】
0003990017.tif 000007
【図７】
0003990017.tif 000008